(57)【要約】【課題】  ＳＴＢ端末に対するＦＷアップデートを、ユーザが意識せずに簡単に行うことができるようにする。【解決手段】ＳＴＢ端末１１のＦＷアップデートツールを、ＳＤカード等の記録メディア１２を媒体として転送する。アカウント管理サーバ１３に、メディア内のユーザＩＤも管理させることで、メディア１２とアカウントとの関連付けを行う。また、このメディア１２を端末１１にセットした時点で、端末１１からアカウント管理サーバ１３にＳＴＢプロパティもアカウント管理情報として関連付ける。これにより次回メディア１２を通信インターフェース装置１６にセットした時点で、ＦＷ機能アップデートツールが提供されている場合は、自動的にメディア１２にダウンロードされる。このメディア１２を複数のＳＴＢ端末１１で共有している場合は、必要な端末用ＦＷツールが全てダウンロードされるようになる。【選択図】      図１
2010039569.tif 000002
【特許請求の範囲】
【請求項１】
コンテンツを記録した記録メディアからコンテンツ情報を読み出し適宜再生してコンテンツを視聴可能とするコンテンツ情報処理端末と、前記コンテンツ情報処理端末の登録ユーザに対して前記記録メディアに任意のコンテンツのダウンロードを行わせるコンテンツ提供装置とを備えるコンテンツ情報提供システムであって、
前記コンテンツ提供装置は、
前記コンテンツ情報処理端末のユーザアカウント情報を管理して認証処理を行い、前記コンテンツ情報処理端末の製品識別情報を含む端末プロパティをユーザアカウント情報の関連情報として記録しておくアカウント管理部と、
前記アカウント管理部の認証処理結果に基づいて前記記録メディアにダウンロード要求されたコンテンツを提供するダウンロード管理部と、
前記コンテンツ情報処理端末のファームウェアのアップデートツールを製品別に管理するファームウェア管理部と、
前記記録メディアのセット状態で前記アカウント管理部に対するユーザ認証要求、ダウンロード管理部に対するコンテンツダウンロード要求の操作を受け付けるインターフェース部とを具備し、
前記アカウント管理部は、前記記録メディアからの認証処理によってユーザアカウントが得られた場合に、前記ユーザアカウント情報の関連情報に製品識別情報があるか判断し、製品識別情報があった場合には、前記ファームウェア管理部から当該製品のファームウェアのアップデートツールがあるか判断し、ツールがある場合には、前記インターフェース部を通じて前記ファームウェア管理部から前記記録メディアにダウンロードさせ、
前記コンテンツ情報処理端末は、前記記録メディアがセットされたとき、当該記録メディアに前記アップデートツールが記録されているか判断し、記録されている場合にそのアップデートツールを任意に実行するようにしたことを特徴とするコンテンツ情報提供システム。
【請求項２】
前記コンテンツ情報処理端末と前記アカウント管理部とが通信可能な状況にあるとき、前記コンテンツ情報処理端末から前記アカウント管理部にアカウント登録すると共にその製品識別情報を前記端末プロパティとして登録することを特徴とする請求項１記載のコンテンツ情報提供システム。
【請求項３】
前記コンテンツ情報処理端末と前記アカウント管理部とが通信不能な状況にあるとき、前記コンテンツ情報処理端末に前記記録メディアがセットされた時点で前記コンテンツ情報処理端末の端末プロパティを登録し、当該記録メディアが前記インターフェース部にセットされた時点でその端末プロパティを前記アカウント管理部に登録することを特徴とする請求項１記載のコンテンツ情報提供システム。
【請求項４】
コンテンツを記録した記録メディアからコンテンツ情報を読み出し適宜再生してコンテンツを視聴可能とするコンテンツ情報処理端末の登録ユーザに対して前記記録メディアに任意のコンテンツのダウンロードを行わせるコンテンツ提供装置であって、
前記コンテンツ情報処理端末のユーザアカウント情報を管理して認証処理を行い、前記コンテンツ情報処理端末の製品識別情報を含む端末プロパティをユーザアカウント情報の関連情報として記録しておくアカウント管理部と、
前記アカウント管理部の認証処理結果に基づいて前記記録メディアにダウンロード要求されたコンテンツを提供するダウンロード管理部と、
前記コンテンツ情報処理端末のファームウェアのアップデートツールを製品別に管理するファームウェア管理部と、
前記記録メディアのセット状態で前記アカウント管理部に対するユーザ認証要求、ダウンロード管理部に対するコンテンツダウンロード要求の操作を受け付けるインターフェース部とを具備し、
前記アカウント管理部は、前記記録メディアからの認証処理によってユーザアカウントが得られた場合に、前記ユーザアカウント情報の関連情報に製品識別情報があるか判断し、製品識別情報があった場合には、前記ファームウェア管理部から当該製品のファームウェアのアップデートツールがあるか判断し、ツールがある場合には、前記インターフェース部を通じて前記ファームウェア管理部から前記記録メディアにダウンロードさせることを特徴とするコンテンツ提供装置。
【請求項５】
前記アカウント管理部は、前記コンテンツ情報処理端末と通信可能な状況にあるとき、前記コンテンツ情報処理端末のアカウント登録時にその製品識別情報を前記端末プロパティとして登録することを特徴とする請求項４記載のコンテンツ情報提供装置。
【請求項６】
前記アカウント管理部は、前記記録メディアに前記コンテンツ情報処理端末の端末プロパティが記録されているとき、当該記録メディアが前記インターフェース部にセットされた時点でその端末プロパティをアップさせ登録することを特徴とする請求項４記載のコンテンツ情報提供装置。
【請求項７】
コンテンツを記録した記録メディアからコンテンツ情報を読み出し適宜再生してコンテンツを視聴可能とするコンテンツ情報処理端末と、前記コンテンツ情報処理端末の登録ユーザに対して前記記録メディアに任意のコンテンツのダウンロードを行わせるコンテンツ提供装置とを備えるコンテンツ情報提供システムに用いられるコンテンツ情報処理端末であって、
前記コンテンツ提供装置が、
前記コンテンツ情報処理端末のユーザアカウント情報を管理して認証処理を行い、前記コンテンツ情報処理端末の製品識別情報を含む端末プロパティをユーザアカウント情報の関連情報として記録しておくアカウント管理部と、
前記アカウント管理部の認証処理結果に基づいて前記記録メディアにダウンロード要求されたコンテンツを提供するダウンロード管理部と、
前記コンテンツ情報処理端末のファームウェアのアップデートツールを製品別に管理するファームウェア管理部と、
前記記録メディアのセット状態で前記アカウント管理部に対するユーザ認証要求、ダウンロード管理部に対するコンテンツダウンロード要求の操作を受け付けるインターフェース部とを具備し、
前記アカウント管理部が、前記記録メディアからの認証処理によってユーザアカウントが得られた場合に、前記ユーザアカウント情報の関連情報に製品識別情報があるか判断し、製品識別情報があった場合には、前記ファームウェア管理部から当該製品のファームウェアのアップデートツールがあるか判断し、ツールがある場合には、前記インターフェース部を通じて前記ファームウェア管理部から前記記録メディアにダウンロードさせるとき、
前記記録メディアがセットされたとき、当該記録メディアに前記アップデートツールが記録されているか判断し、記録されている場合にそのアップデートツールを任意に実行するようにしたことを特徴とするコンテンツ情報提供システムのコンテンツ情報処理端末。
【請求項８】
前記アカウント管理部との間で通信可能な状況にあるとき、前記アカウント管理部にアカウント登録すると共にその製品識別情報を前記端末プロパティとして登録することを特徴とする請求項７記載のコンテンツ情報処理端末。
【請求項９】
前記アカウント管理部との間で通信不能な状況にあるとき、前記記録メディアがセットされた時点で端末プロパティを登録しておくことで、当該記録メディアが前記インターフェース部にセットされた時点でその端末プロパティを前記アカウント管理部に登録されるようにしたことを特徴とする請求項７記載のコンテンツ情報処理端末。
【発明の詳細な説明】
【技術分野】
【０００１】
本発明は、セットトップボックス（以下、ＳＴＢ）端末等のコンテンツ情報処理端末のファームウェアを効率的にアップデートするコンテンツ情報提供システムとコンテンツ提供装置及びコンテンツ情報処理端末に関する。
【背景技術】
【０００２】
近年、ＳＴＢ端末に対するコンテンツの流通にあっては、ＣＤ等の記録媒体による提供以外にネットワーク配信によって提供されるようになった。その一方で、コンテンツをダウンロードするための高速ネットワーク環境に適応できない場合を考慮して、売店ダウンロード販売による方式が提案されている。この方式では、ユーザがＳＤカード等の記録メディアを売店等に設置された通信端末のインターフェース部にセットし、ユーザ認証によってコンテンツ配信装置にアクセスし、任意のコンテンツをダウンロードして記録メディアに保存する。そして、その記録メディアを持ち帰ってＳＴＢ端末にセットし、その記録メディアに保存されているコンテンツをＳＴＢ端末で再生する、あるいはＳＴＢ端末内のコンテンツ格納部に格納しておき、いつでも再生可能とするというものである。
【０００３】
ところで、上記ＳＴＢ端末等のコンテンツ情報処理端末では、不具合修復、制御処理の変更・追加等を目的とするファームウェア（以下、ＦＷ）のアップデート機能が装備されている。この機能は、メーカーが製品毎に提供するアップデートツールを入手し、ＳＴＢ端末にてそのプログラムを実行させることで行われる。通常、そのツールは、インターネットを通じてメーカーのホームページからダウンロードし、記録メディアを通じてＦＷ対象装置にセットし実行する手順となる（例えば特許文献１参照）。しかしながら、製品の型番、現在のＦＷバージョン等のユーザの確認・選択指示が必要であり、さらに簡単に行えるようにすることが望まれている。
【特許文献１】特開２００３−３０３０２８号公報
【発明の開示】
【発明が解決しようとする課題】
【０００４】
以上述べたように、従来のコンテンツ情報処理端末に対するＦＷアップデートツールの提供は、インターネットを通じてメーカーのホームページからダウンロードし、記録メディアを通じてＦＷ対象装置にセットし実行する手順となるが、製品の型番、現在のＦＷバージョン等のユーザの確認・選択指示が必要であり、さらに簡単に行えるようにすることが望まれている。
【０００５】
本発明は上記の課題に鑑みてなされたもので、コンテンツ情報処理端末に対するＦＷアップデートを、ユーザが意識せずに簡単に行うことのできるコンテンツ情報提供システムとコンテンツ提供装置及びコンテンツ情報処理端末を提供することを目的とする。
【課題を解決するための手段】
【０００６】
上記問題を解決するために、本発明に係るコンテンツ情報提供システムは、コンテンツを記録した記録メディアからコンテンツ情報を読み出し適宜再生してコンテンツを視聴可能とするコンテンツ情報処理端末と、前記コンテンツ情報処理端末の登録ユーザに対して前記記録メディアに任意のコンテンツのダウンロードを行わせるコンテンツ提供装置とを備えるシステムであって、前記コンテンツ提供装置は、前記コンテンツ情報処理端末のユーザアカウント情報を管理して認証処理を行い、前記コンテンツ情報処理端末の製品識別情報を含む端末プロパティをユーザアカウント情報の関連情報として記録しておくアカウント管理部と、前記アカウント管理部の認証処理結果に基づいて前記記録メディアにダウンロード要求されたコンテンツを提供するダウンロード管理部と、前記コンテンツ情報処理端末のファームウェアのアップデートツールを製品別に管理するファームウェア管理部と、前記記録メディアのセット状態で前記アカウント管理部に対するユーザ認証要求、ダウンロード管理部に対するコンテンツダウンロード要求の操作を受け付けるインターフェース部とを具備し、前記アカウント管理部は、前記記録メディアからの認証処理によってユーザアカウントが得られた場合に、前記ユーザアカウント情報の関連情報に製品識別情報があるか判断し、製品識別情報があった場合には、前記ファームウェア管理部から当該製品のファームウェアのアップデートツールがあるか判断し、ツールがある場合には、前記インターフェース部を通じて前記ファームウェア管理部から前記記録メディアにダウンロードさせ、前記コンテンツ情報処理端末は、前記記録メディアがセットされたとき、当該記録メディアに前記アップデートツールが記録されているか判断し、記録されている場合にそのアップデートツールを任意に実行するようにしたことを特徴とする。
【発明の効果】
【０００７】
本発明によれば、コンテンツ情報処理端末に対するＦＷアップデートを、ユーザが意識せずに簡単に行うことのできるコンテンツ情報提供システムとコンテンツ提供装置及びコンテンツ情報処理端末を提供することができる。
【発明を実施するための最良の形態】
【０００８】
以下、図面を参照して本発明の実施の形態を詳細に説明する。
【０００９】
図１は本発明が適用されるコンテンツ情報提供システムの構成を示すブロック図である。図１において、ＳＴＢ端末１１は、コンテンツを記録した記録メディア１２がセットされると、この記録メディア１２に記録されたコンテンツ情報を読み出して内部の記憶部に格納し、適宜再生してコンテンツを視聴可能とする。また、セットされた記録メディア１２に、製品ＩＤ（製造元、機種等の情報に対応し、製品名、型番、シリアル番号などの判別を可能とする）、ＦＷバージョン等のＳＴＢプロパティを記録する。
【００１０】
一方、コンテンツ提供側は、アカウントデータベースを備えるアカウント管理サーバ１３、コンテンツデータベースを備えるダウンロードサーバ１４、ＦＷデータベースを備えるＦＷ管理サーバ１５をネットワーク接続し、このネットワークに通信インターフェース装置１６接続して構成される。この通信インターフェース装置１６は、上記記録メディア１２をセットした状態で、ユーザの入力操作を受け付け、その操作内容に従って各サーバ１３〜１５と通信可能とするものである。このコンテンツ提供側の構成は、例えば本システムを用いて提供されるサービスを提供する会社の本部等に設置されるものである。
【００１１】
上記アカウント管理サーバ１３は、アカウントデータベースに、登録ユーザのアカウント管理情報と共にユーザ関連情報の一つとしてＳＴＢプロパティを含めて登録可能しておき、上記通信インターフェース装置１６からユーザ認証要求があったとき、アカウントデータベースを参照して提供されるユーザ情報と比較照合し、一致した場合にはダウンロードサーバ１４及びＦＷ管理サーバ１５との接続を許可する。また、このアカウント管理サーバ１３は、インターネット等のネットワーク１７を通じてＳＴＢ端末１１との間で通信を行うことができる。但し、この通信ルートは比較的低速で、コンテンツ配信は困難であるが、ＳＴＢプロパティを伝送するには十分であるものとする。
【００１２】
ダウンロードサーバ１４は、例えば本システムを用いて提供されるサービスを提供する店舗等に設置される装置であり、記録メディア１２との接続許可を受けた場合に、指定されるコンテンツをコンテンツデータベースから読み出し、通信インターフェース装置１６を通じて記録メディア１２に提供する。ＦＷ管理サーバ１５は、記録メディア１２との接続許可を受けた場合に、当該記録メディア１２に記録されているＳＴＢプロパティを読み取り、ＦＷデータベースからそのＳＴＢに対応するＦＷツールを読み出して記録メディア１２に提供するものである。
【００１３】
上記構成において、以下にその運用の流れを説明する。
【００１４】
図２は上記アカウント管理サーバ１３において、通信インターフェース装置１６に記録メディア１２がセットされたときの処理手順を示すフローチャートである。まず、通信インターフェース装置１６におけるユーザ操作により認証要求があると（ステップＳ１１）、アカウント処理を開始してユーザＩＤを要求し（ステップＳ１２）、その返答によりユーザＩＤの有無を判断する（ステップＳ１３）。ユーザＩＤがない場合には、ユーザＩＤを作成し（ステップＳ１４）、ユーザＩＤをアカウントデータベースに登録すると共に記録メディア１２に配布する（ステップＳ１５）。尚、アカウント管理サーバ１３では、後述のように、ネットワーク１７を介してＳＴＢ端末１１と通信することにより、ユーザＩＤの提示と共にＳＴＢプロパティを得た場合、このＳＴＢプロパティをユーザＩＤに関連付けてアカウントデータベースに登録しておく。
【００１５】
ステップＳ１３でユーザＩＤがあることが判別された場合、またはステップＳ１５でユーザＩＤ登録、配布された場合には、ユーザＩＤによるアカウント管理を実行する（ステップＳ１６）。このアカウント管理は、アカウントデータベースにＳＴＢプロパティが存在するか判断し（ステップＳ１７）、存在しない場合には記録メディア１２にＳＴＢプロパティが記録されているか判断する（ステップＳ１８）。
【００１６】
上記ステップＳ１７，Ｓ１８でＳＴＢプロパティが得られた場合には、ＦＷ管理サーバ１５を通じて、ＳＴＢプロパティ情報に示される製品ＩＤ（機種）、ＦＷバージョン等に対応するＦＷツールがあるか判断し（ステップＳ１９）、ＦＷツールがある場合には、そのＦＷツールをダウンロードさせる（ステップＳ２０）。ステップＳ２０でＦＷツールがダウンロードされた場合、上記ステップＳ１８でメディア１２にＳＴＢプロパティが記録されていなかった場合、ステップＳ１９でＦＷツールがなかった場合のいずれかにおいて、コンテンツ購入の有無を判断し（ステップＳ２１）、購入有りの場合にはダウンロードサーバ１４を通じて該当するコンテンツをコンテンツデータベースから読み出してダウンロードさせる（ステップＳ２２）。ステップ２１でコンテンツ購入なしの場合、あるいはステップＳ２２でダウンロードが完了した場合には、一連の処理を終了する。
【００１７】
図３は、上記ＳＴＢ端末１１のＦＷアップデートの処理手順を示すフローチャートである。
【００１８】
図３において、まず、記録メディア１２がセットされると（ステップＳ３１）、対応ＦＷツールが記録されているか判断し（ステップＳ３２）、ＦＷツールが記録されている場合には、ユーザにＦＷアップデートを行う旨の提示を行い（ステップＳ３３）、ＦＷツールを実行することでＦＷアップデートが行われる（ステップＳ３４）。対応ＦＷツールが記録されていない場合には、ステップＳ３３，Ｓ３４は省略される。その後、記録メディア１２に当該ＳＴＢ端末１１のＳＴＢプロパティが記録されているか判断し（ステップＳ３５）、記録されていない場合にはメディア１２にＳＴＢプロパティを記録して（ステップＳ３６）、一連の処理を終了する。
【００１９】
図４は、上記ＳＴＢ端末１１において、アカウント管理サーバ１３にＳＴＢプロパティを登録する処理手順を示すフローチャートである。
【００２０】
図４において、ネットワーク１７を通じてアカウント管理サーバ１３に接続し（ステップＳ４１）、メディア１２を通じて得られたユーザＩＤの関連情報として最新のＳＴＢプロパティが登録されているか判断し（ステップＳ４２）、最新のＳＴＢプロパティが登録されている場合にはそのまま処理を終了し、登録されていない場合には、アカウント管理サーバ１３に最新のＳＴＢプロパティを送信し登録させ（ステップＳ４３）、一連の処理を終了する。
【００２１】
すなわち、上記のシステム構成では、ＳＴＢ端末のＦＷアップデートツールを、ＳＤカード等の記録メディア１２を媒体として転送する方法であり、アカウント管理サーバ１３に、メディア内のユーザＩＤも管理させることで、メディア１２とアカウントとの関連付けを行う。また、このメディア１２をＳＴＢ端末１１にセットした時点で、ＳＴＢ端末１１からアカウント管理サーバ１３にＳＴＢプロパティもアカウント管理情報として関連付ける。
【００２２】
これにより次回メディアを通信インターフェース装置１６にセットした時点で、ＦＷ機能アップデートツールが提供されている場合は、自動的にメディア１２にダウンロードされる。このメディア１２を複数のＳＴＢ端末１１で共有している場合は、必要な端末用ＦＷツールが全てダウンロードされるようになる。
【００２３】
ここで、ＦＷアップデートツールは、ＦＷ自体を更新するもの、壁紙などの見た目を更新するもの、追加のプラグインソフトをインストールするもの、追加の外部アプリケーション、例えばゲーム等をインストールするもの、追加のコンテンツをインストールするもの、端末にセットされるアカウント情報を更新するもの、などが考えられる。
【００２４】
その具体的な運用は、以下のように行われる。
【００２５】
まず、ダウンロードを開始する前に、通信インターフェース装置１６において、メディア１２に保存されているユーザＩＤあるいはメディアＩＤおよびＳＴＢ端末１１の製品ＩＤを読み出し、アカウント管理サーバ１３にユーザＩＤあるいはメディアＩＤからアカウント照合を行う。
【００２６】
アカウントが見つかり、かつ製品ＩＤを含むＳＴＢプロパティが登録されていない場合は、すでに読み出しているＳＴＢプロパティをアカウント管理サーバ１３に送る。このサーバ１３は、ＳＴＢプロパティをアカウントに関連付けると共に、ＳＴＢプロパティ中の製品ＩＤに関連するＦＷアップデートが登録されているかを確認する。登録されている場合は、通信インターフェース装置１６にてコンテンツをダウンロードする際に、自動的にＳＴＢ端末１１のＦＷアップデートツールあるいはＦＷデータをメディアにダウンロードする。
【００２７】
ユーザがこのメディア１２を持ち帰り、ＳＴＢ端末１１にセットすると、ＳＴＢ端末１１は、ＦＷアップデートツールの有無を確認する。ツールがある場合は、このツールのバージョンと端末のバージョンの照合を行い、照合の結果、アップデートが必要であると判断した場合、アップデートを開始する。アップデートを開始する前に、ユーザにアップデートを開始するかを確認する表示を行ってもよい。
【００２８】
アップデート完了後、ＳＴＢ端末１１は、ネットワーク１７経由で、アカウント管理サーバ１３に、どのバージョンへのアップデートを行ったかを報告する。ＳＴＢ端末１１がネットワーク１７に接続されていない場合は、メディア１２にバージョン情報を更新したＳＴＢプロパティを記録しておくことで、次回メディア１２を通信インターフェース装置１６に接続した時点で、そのバージョン情報の報告を行うことができる。
【００２９】
尚、アカウント管理を簡略化したい場合は、製品ＩＤに関連するＦＷアップデートが登録されているかをその都度行えばよい。
【００３０】
したがって、上記構成によれば、ＳＴＢ１１のコンテンツダウンロード用とする記録メディア１２を利用し、通信インターフェース装置１６において記録メディア１２をセットした段階で必要なＦＷツールを自動的に入手し、その記録メディア１２をＳＴＢ１１にセットするだけで、コンテンツと共にＦＷツールを取り込み、ＦＷを簡単にアップデートすることが可能となる。
【００３１】
ところで、上記実施形態では、ＳＴＢ端末１１がネットワーク１７を通じてアカウント管理サーバ１３と通信可能な状況の場合について説明したが、通信不能な場合を考慮して、アカウント管理サーバ１３、ＳＴＢ端末１１において、それぞれ図５、図６に示すように処理手順を変更してもよい。
【００３２】
図５は、上記ＳＴＢ端末１１がアカウント管理サーバ１３と通信不能な場合のアカウント管理サーバ１３の処理手順を示すフローチャートである。ここで、図５において、図２と同一ステップには同一符号を付して示し、ここでは異なるステップのみ説明する。
【００３３】
この場合のアカウント管理サーバ１３の処理手順では、記録メディア１２を媒体として、初めてＳＴＢプロパティを登録することが可能となる。このため、図２に示したステップＳ１７は不要となり、図５に示すように、ステップＳ１６の処理に続いて記録メディア１２にＳＴＢプロパティがあるか判断するステップＳ１８に移行し、ＳＴＢプロパティがあった場合にＦＷツールのダウンロード処理Ｓ１９，Ｓ２０を実行するものとする。
【００３４】
一方、図６は、上記ＳＴＢ端末１１がアカウント管理サーバ１３と通信不能な場合のＳＴＢ端末１１の処理手順を示すフローチャートである。ここで、ＳＴＢ端末１１の処理では、図６に示すように、記録メディア１２をセットした段階で（ステップＳ５１）、メディア１２にＦＷツールが記録されているか判断し（ステップＳ５２）、記録されている場合にはユーザにＦＷアップデートの実行を提示した後（ステップＳ５３）、ＦＷツールを実行してアップデートを行う（ステップＳ５４）。ステップＳ５２でＦＷツールが記録されていなかった場合、あるいはステップＳ５４の処理が完了した場合には、メディア１２に最新のＳＴＢプロパティが書き込まれているか判断し（ステップＳ５５）、書き込まれていなければ当該メディア１２にＳＴＢプロパティを書き込んで（ステップＳ５６）一連の処理を終了する。尚、ステップＳ５２〜Ｓ５４と、ステップＳ５５〜Ｓ５６は、どちらを先に処理してもよい。
【００３５】
上記のようにＳＴＢ端末１１にてコンテンツダウンロード用の記録メディア１２に最新のＳＴＢプロパティを書き込んでおくことで、通信インターフェース装置１６にて記録メディア１２にコンテンツをダウンロードする際に、必要なＦＷツールを自動的にダウンロードすることができ、このメディア１２をＳＴＢ端末１１にセットしたとき、自動的にＦＷのアップデートを実行することができる。
【００３６】
以上述べたように、上記構成によるシステムにおいて、ＳＴＢ端末１１とアカウント管理サーバ１３とのネットワーク接続が可能である場合には、ＳＴＢ端末１１からアカウント管理サーバ１３にアカウント登録を行う際に、ＳＴＢプロパティをアップロードしておき、記録メディア１２を通信インターフェース装置１６にセットしてユーザＩＤを取得し、このユーザＩＤからアカウントを自動的に見つけ、ＳＴＢプロパティより新しいＦＷが登録されている場合は、ＦＷを記録メディア１２にダウンロードする。この記録メディア１２がＳＴＢ端末１１にセットされると、このＳＴＢ端末１１は自分のＳＴＢプロパティ情報にＦＷアップのフラグがセットされている場合は、ＦＷアップデートを自動的に実行する。アップデートが完了した時点で、ＳＴＢプロパティをアカウント管理サーバ１３にアップロードしておく。
【００３７】
一方、ＳＴＢ端末１１とアカウント管理サーバ１３とのネットワーク接続ができない場合には、ＳＴＢ端末１１に記録メディア１２をセットした時点で、ＳＴＢプロパティをメディア１２にダウンロードする。そして、このメディア１２を通信インターフェース装置１６にセットした時点で、ＳＴＢプロパティをアップロードし、ＳＴＢプロパティより新しいＦＷが登録されている場合は、ＦＷを記録メディア１２にダウンロードする。この記録メディア１２がＳＴＢ端末１１にセットされると、ＳＴＢ端末１１は、自分のＳＴＢプロパティ情報にＦＷアップのフラグがセットされている場合は、ＦＷデータを自動的に実行する。アップデートが完了した時点で、ＳＴＢプロパティをセット中の記録メディア１２にダウンロードする。この記録メディア１２を通信インターフェース装置１６に繋いだ時点で、ＳＴＢプロパティをアップロードする。
【００３８】
いずれの場合でも、常に最新のＳＴＢプロパティをアカウント管理サーバ１３に登録しておくことができ、記録メディア１２を通じて自動的にＳＴＢ端末１１に対応するＦＷツールをダウンロードし、ＳＴＢ端末１１の実行に移すことが可能となり、極めて簡単にＦＷのアップデートを行うことができる。
【００３９】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】本発明が適用されるコンテンツ情報提供システムの構成を示すブロック図。
【図２】図１に示すアカウント管理サーバの処理手順を示すフローチャート。
【図３】図１に示すＳＴＢ端末のＦＷアップデートの処理手順を示すフローチャート。
【図４】上記ＳＴＢ端末において、アカウント管理サーバにＳＴＢプロパティを登録する処理手順を示すフローチャート。
【図５】上記ＳＴＢ端末がアカウント管理サーバと通信不能な場合のアカウント管理サーバの処理手順を示すフローチャート。
【図６】上記ＳＴＢ端末がアカウント管理サーバと通信不能な場合のＳＴＢ端末の処理手順を示すフローチャート。
【符号の説明】
【００４１】
１１…ＳＴＢ端末、１２…記録メディア、１３…アカウント管理サーバ、１４…ダウンロードサーバ、１５…ＦＷ管理サーバ、１６…通信インターフェース装置、１７…ネットワーク。
【図１】
2010039569.tif 000003
【図２】
2010039569.tif 000004
【図３】
2010039569.tif 000005
【図４】
2010039569.tif 000006
【図５】
2010039569.tif 000007
【図６】
2010039569.tif 000008